(57)【要約】【課題】電子メールや閲覧中のウェブページ中の語句に関わる情報を容易に取得可能とすることを目的とする。【解決手段】ウェブブラウザによりウェブページを外部サーバから取得して表示部に表示し、メーラーにより電子メールを作成、送受信及び前記表示部に表示（ａ）する通信端末装置であって、前記ウェブページ又は前記電子メールを前記表示部に表示した状態（ａ）で、ユーザが当該表示中の前記ウェブページ又は前記電子メールについて行う作業としてウェブ検索を選択する操作（ｂ）を行うと、前記ウェブページ又は前記電子メール中の文章から検索対象とする語句を指定する操作をユーザに対して促す検索対象指定画面（ｄ）を前記表示部に表示させ、ユーザが前記語句を指定する操作を行うと、前記語句に関する情報（ｅ）を検索結果として外部サーバから取得して前記表示部に表示させる制御部を備える。【選択図】図４
2008059154.tif 000002
【特許請求の範囲】
【請求項１】
ウェブブラウザによりウェブページを外部サーバから取得して表示部に表示し、メーラーにより電子メールを作成、送受信及び前記表示部に表示する通信端末装置であって、
前記ウェブページ又は前記電子メールを前記表示部に表示した状態で、
ユーザが当該表示中の前記ウェブページ又は前記電子メールについて行う作業としてウェブ検索を選択する操作を行うと、
前記ウェブページ又は前記電子メール中の文章から検索対象とする語句を指定する操作をユーザに対して促す検索対象指定画面を前記表示部に表示させ、
ユーザが前記語句を指定する操作を行うと、
前記語句に関する情報を検索結果として外部サーバから取得して前記表示部に表示させる
制御部を備えることを特徴とする通信端末装置。
【請求項２】
前記制御部は、前記検索対象指定画面を前記表示部に表示させる前又は後の段階において、複数の検索サービスから一つを選択する操作をユーザに対して促し、当該ユーザが選択した検索サービスを介して前記検索結果を取得することを特徴とする請求項１に記載の通信端末装置。
【請求項３】
前記制御部は、前記語句の意味及び／又は読み方を前記検索結果として提供する辞書検索サービスを介して前記検索結果を取得することを特徴とする請求項１又は２に記載の通信端末装置。
【請求項４】
前記制御部は、前記検索結果の取得後は、ユーザによる画面切替操作に基づき、前記表示部に表示させる画面を、前記検索結果と前記ウェブページ又は前記電子メールとの何れかに切り替えることを特徴とする請求項１から３の何れかに記載の通信端末装置。
【発明の詳細な説明】
【技術分野】
【０００１】
本発明は、通信端末装置に関する。
【背景技術】
【０００２】
通信端末装置には、例えば、メーラーやウェブブラウザ等のソフトウェアを搭載した携帯電話機がある。メーラーは、電子メールを作成、送受信、及び表示するものである。ウェブブラウザは、ウェブページをインターネット経由で外部サーバから取得して表示するものである。このようなウェブブラウザとしては、例えば、非特許文献１に示すＵＲＬから入る取扱説明書ダウンロードサービスから取得可能であるオンラインマニュアル「フルブラウザ」（ファイル名：N902iS_J_15.pdf）に記載されたフルブラウザがある。
一方、ウェブサイトには、ユーザが入力した語句の意味や読み方の検索指示を受け付け、検索された語句の意味や読み方を表示する検索サービスを提供するものがある。
【０００３】
上記のような携帯電話機において、ユーザは、受信した電子メールや閲覧中のウェブページ中の語句の意味や読み方を知りたい場合には、一般に、以下のような操作を行うことが多い。その操作とは、携帯電話機に備え付けられた操作部を用いて、電子メール又はウェブページ中の文章から前記語句が記載された範囲を指定して前記語句を記憶部に記憶させた後、ウェブブラウザを起動し、語句検索を受け付けるウェブページを表示させ、該ウェブページ上の検索対象語句を入力すべき箇所へ記憶部から前記語句を読み出して入力し、ウェブページ上の検索実行を指示するボタンを押下する、というような操作である。そして、その後、ユーザは、語句検索及び検索結果表示を待つ。
【非特許文献１】http://www.nttdocomo.co.jp/support/manual/download/foma/902i/n902is/
【発明の開示】
【発明が解決しようとする課題】
【０００４】
上記のような従来の携帯電話機における語句検索手順は、操作部への入力手数が多いため、操作が煩雑である。また、入力手数が多いために、不慣れなユーザは特に、目的の語句の意味を入手するまでに時間がかかるという不都合がある。
本発明は、上述した事情に鑑みてなされたもので、電子メールや閲覧中のウェブページ中の語句に関わる情報を取得する手順を容易にして、電子メールや閲覧中のウェブページ中の語句に関わる情報を容易に取得可能とすることを目的とする。
【課題を解決するための手段】
【０００５】
上記課題を解決するために、本発明では、第１の手段として、ウェブブラウザによりウェブページを外部サーバから取得して表示部に表示し、メーラーにより電子メールを作成、送受信及び前記表示部に表示する通信端末装置であって、前記ウェブページ又は前記電子メールを前記表示部に表示した状態で、ユーザが当該表示中の前記ウェブページ又は前記電子メールについて行う作業としてウェブ検索を選択する操作を行うと、前記ウェブページ又は前記電子メール中の文章から検索対象とする語句を指定する操作をユーザに対して促す検索対象指定画面を前記表示部に表示させ、ユーザが前記語句を指定する操作を行うと、前記語句に関する情報を検索結果として外部サーバから取得して前記表示部に表示させる制御部を備えることを特徴とする通信端末装置を採用した。
【０００６】
また、第２の手段として、上記第１の手段に係る通信端末装置において、前記制御部は、前記検索対象指定画面を前記表示部に表示させる前又は後の段階において、複数の検索サービスから一つを選択する操作をユーザに対して促し、当該ユーザが選択した検索サービスを介して前記検索結果を取得するものを採用した。
【０００７】
第３の手段として、上記第１又は２の手段に係る通信端末装置において、前記制御部は、前記語句の意味及び／又は読み方を前記検索結果として提供する辞書検索サービスを介して前記検索結果を取得するものを採用した。
【０００８】
第４の手段として、上記第１から３の何れかの手段に係る通信端末装置において、前記制御部は、前記検索結果の取得後は、ユーザによる画面切替操作に基づき、前記表示部に表示させる画面を、前記検索結果と前記ウェブページ又は前記電子メールとの何れかに切り替えるものを採用した。
【発明の効果】
【０００９】
本発明では、表示部が電子メール又は閲覧中のウェブページを表示中に、ユーザがウェブ検索を行うよう操作すると、制御部が検索対象とする語句の指定をユーザに促し、ユーザが語句を指定すると、制御部が該語句に関する情報を表示部に表示させるようにし、これにより、ユーザが従来行っていた操作、つまり、ウェブブラウザを起動したり、語句検索を受け付けるウェブページを表示させたり、該ウェブページ上の検索対象語句を入力すべき箇所へ記憶部から語句を読み出して入力したり、ウェブページ上の検索実行を指示するボタンを押下したり、というような操作を行う必要をなくした。即ち、本発明によれば、電子メールや閲覧中のウェブページ中の語句に関わる情報を取得する手順を従来に比べて減らして、電子メールや閲覧中のウェブページ中の語句に関わる情報を容易に取得することができる。
【発明を実施するための最良の形態】
【００１０】
以下、本発明の一実施形態である携帯電話機について、図面を参照して説明する。図１は、携帯電話機を３方向から見た外観を示す模式図であり、図２は、携帯電話機の機能構成を示すブロック図である。
携帯電話機は、主な構成要素として、表示側筐体１、操作側筐体２、表示部３、操作部４、通信部５、記憶部６及び制御部７を備えている。
【００１１】
表示側筐体１と操作側筐体２とは、互いの一端部をヒンジ構造により回動自在に連結されていて、折り畳んだ状態（図１（ｂ）、（ｃ）参照）と開いた状態（図１（ａ）参照）との何れかの姿勢をとる。
表示側筐体１及び操作側筐体２は、表示部３の構成要素である表示パネル３ａと、操作部４の構成要素である操作パネル４ａ及びサイドキー４１以外の構成要素を収納している。前記折り畳んだ状態で表示側筐体１の内側となる部分には、表示パネル３ａがはめ込まれている。前記折り畳んだ状態で操作側筐体２の内側となる部分には、操作パネル４ａが配されている。操作側筐体２の右側面（図１（ｂ）参照）には、サイドキー４１が設けられている。
【００１２】
表示部３は、前記表示パネル３ａと、表示制御部３ｂとを備えている。表示制御部３ｂは、表示パネル３ａに表示すべき画像の画像信号を制御部７による制御に基づいて生成して表示パネル３ａに出力する。表示パネル３ａは、表示制御部３ｂから入力された画像信号に基づいて画像を表示する。
操作部４は、ユーザの操作を受け付けるものであって、前記操作パネル４ａと、前記サイドキー４１とを備えている。操作パネル４ａは、センターキー４２、右上キー４３、左上キー４４、右下キー４５、左下キー４６及び数字・記号・文字入力キー群４７を備えている。
上記各キー４１〜４７はそれぞれスイッチを備えており、各キー４１〜４７がユーザにより操作されることにより、前記スイッチが制御部７へ信号を出力する。なお、センターキー４２は、中央とその周囲の上、下、左及び右とに配された複数のスイッチを備え、該複数のスイッチを個別に操作可能とした複合キーである。また、上記各キー４１〜４７には、制御部７が実行中のプログラムに応じて異なる機能が割り当てられる。センターキー４２、右上キー４３、左上キー４４に割り当てられた機能は、表示パネル３ａの下端部の中央、右、左にそれぞれ表示される。
【００１３】
通信部５は、外部装置と電波による無線通信を行って所定のデータを送受信するものであり、外部装置から受信したデータを制御部７へ出力する一方、制御部７から入力されたデータを外部装置へ送信する。
記憶部６は、ＲＯＭ（Read Only Memory）、ＲＡＭ（Random Access Memory）、フラッシュメモリ等から構成され、制御部７による制御の下に、各種設定値、作成ないし送受信した電子メール、ＵＲＬ（Uniform Resource Locator）等を記憶する。また、記憶部６には、第１画面記憶領域６ａ、第２画面記憶領域６ｂ及び語句記憶領域６ｃが設定されている。
第１画面記憶領域６ａは、電子メールやウェブページが表示パネル３ａに表示された際の表示データの保存に用いられる。第２画面記憶領域６ｂは、電子メールやウェブページが表示パネル３ａに表示された状態において、当該電子メールやウェブページ中の所定の語句についてウェブ検索を行って得た検索結果が表示パネル３ａに表示された際の表示データの保存に用いられる。そして、語句記憶領域６ｃは、表示パネル３ａに表示された電子メールやウェブページ中の所定の語句をユーザが指定する操作を行った場合に、該語句の保存に用いられる。
【００１４】
制御部７は、内部メモリに記憶された制御プログラムや、記憶部６に記憶された各種設定値、操作部４の各キー４１〜４７から入力されるユーザの操作内容に基づいて、本携帯電話機の全体の動作を制御する。即ち、制御部７は、上記制御プログラム、各種設定値及び操作内容に基づいて制御演算を行うＣＰＵ（Central Processing Unit）及び他の各部（つまり表示部３、操作部４、通信部５及び記憶部６）との電気信号授受を行う各種入出力インターフェース回線等から構成されており、上記他の各部を統括的に制御する。
また、制御部７は、操作部４から入力される操作内容に応じて内部メモリに記憶されたアプリケーションプログラムを起動して実行する。このアプリケーションプログラムとしては、電子メールの作成、送受信の処理を行うメーラーや、インターネット経由で外部サーバにアクセスして情報を閲覧するウェブブラウザ等がある。
【００１５】
次に、このような構成の携帯電話機の主要動作について次に説明する。
ユーザが操作部４を操作することにより電子メールの受信を指示すると、制御部７は、メーラーを起動して電子メールの受信処理を行う。この受信処理の結果、表示パネル３ａには受信メールの内容が表示される。本携帯電話機では、このような受信メールの表示状態において、制御部７は、メーラーに加えてウェブブラウザを起動することにより、図３のフローチャートに示すようなウェブ検索処理を実行する。
【００１６】
図４（ａ）は、受信メールの内容の表示状態を示す模式図である。制御部７は、このような受信メールの表示状態において、右上キー４３に『メニュー』キーとしての機能を割り当てる。ユーザは、表示パネル３ａに表示中の電子メールの文章に含まれる所定の語句の意味や読み方を知りたい場合には、右上キー４３を操作する。このユーザによる操作があったとき（図３ステップＳ１のＹｅｓ）、制御部７は、表示パネル３ａに、ポップアップメニューを表示させる（図３ステップＳ２）（図４（ｂ）参照）。
このポップアップメニューには、表示パネル３ａに表示中の電子メールに対して行う作業の選択肢が表示される。選択肢の具体例は、図４（ｂ）に示すように、電子メールの文章に含まれる文字列のコピーや、電子メールの文章に含まれる文字列の切り取り、電子メールの文章中への文字列の貼付け、電子メールの文章に含まれる所定の語句のウェブ検索、電子メールの削除等である。
【００１７】
図４（ｂ）に示すポップアップメニューの表示状態において、制御部７は、センターキー４２に『選択』キーとしての機能を割り当てる。ユーザがセンターキー４２により、選択肢から『ウェブ検索』を選択する操作を行うと（図３ステップＳ３のＹｅｓ）、制御部７は、表示パネル３ａに表示させるポップアップメニューを図４（ｃ）に示すように変更する（図３ステップＳ４）。
このポップアップメニューには、検索サービスの選択肢が表示される。選択肢は、図示するように、辞書検索を行って所定の語句の意味及び読み方、又は訳語を提供する辞書検索サービスや、所定の語句をキーワードとして該語句を含むウェブページのＵＲＬを提供するページ検索サービスである。
【００１８】
このようなポップアップメニューの表示状態において、制御部７は、センターキー４２に『選択』キーとしての機能を割り当てる。ユーザが、センターキー４２により、選択肢から『ＡＡＡ辞書』を選択する操作を行うと（図３ステップＳ５のＹｅｓ）、制御部７は、表示パネル３ａに、検索対象指定画面（図４（ｄ）参照）を表示させて、ユーザに対して文章から所定範囲を指定する操作を促す（図３ステップＳ６）。
【００１９】
上記検索対象指定画面（図４（ｄ）参照）は２段階に構成されている。検索対象指定画面の第１の段階において、制御部７は、センターキー４２に『始点』キーとしての機能を割り当てており、センターキー４２は、ユーザが指定しようとする範囲の始点となる文字の指定に用いられる。そして、検索対象指定画面の第２の段階においては、制御部７は、図４（ｄ）に示すようにセンターキー４２に『終点』キーとしての機能を割り当てており、センターキー４２は、ユーザが指定しようとする範囲の終点となる文字の指定に用いられる。
ユーザが、センターキー４２によって、検索対象とする語句の一文字目を始点として指定し、続いて、語句の最後の文字を終点として指定すると（図３ステップＳ７のＹｅｓ）、制御部７は、ユーザが指定した語句を、記憶部６の語句記憶領域６ｃに記憶させる（図３ステップＳ８）。
【００２０】
このようにして検索サービス及び検索対象語句がユーザによって指定されると、制御部７は、ウェブブラウザを起動し（図３ステップＳ９）、ユーザ指定の検索サービス『ＡＡＡ辞書』を行っているウェブページを取得し（図３ステップＳ１０）、該ウェブページの検索語句記入欄に、記憶部６の語句記憶領域６ｃに記憶した語句をあてはめ（図３ステップＳ１１）、検索実行する（図３ステップＳ１２）。ここで、ステップＳ９〜Ｓ１２において、制御部７は、表示パネル３ａの表示は変更せず、内部的に処理を行う。また、ステップＳ１２の検索実行は、制御部７が、通信部５を介して、上記取得したウェブページの検索実行ボタンを押下した場合の信号を外部サーバに送信し（要求送信）、外部サーバから、検索結果としてのウェブページを受信する（応答受信）ことにより実現される。
【００２１】
ステップ１２における検索実行により外部サーバから検索結果としてウェブページを取得すると、制御部７は、該ウェブページを表示パネル３ａに表示させるよう表示制御部３ｂを制御する（図３ステップＳ１３）。検索結果として外部サーバから受信したウェブページには、ユーザ指定語句の意味及び読み方が記載されている（図４（ｅ）参照）か、或いは、外部サーバが備える辞書にユーザ指定語句が存在しない等の理由によってユーザ指定語句に対応する回答を提供できない旨の記載がされている。
なお、ステップＳ３において、『ウェブ検索』以外の選択肢が選択された場合には（図３ステップＳ３のＮｏ）、他処理へ移行する（図３ステップＳ１４）。
【００２２】
次に、制御部７が行う画面切替処理について説明する。この画面切替処理は、図４（ａ）に示す画面と図４（ｅ）に示す画面とを交互に切り替える処理である。この処理には、上記両画面のそれぞれの表示時に表示データを保存しておき、該保存した表示データを利用する。即ち、制御部７は、図４（ａ）に示す画面を表示パネル３ａに表示させるよう表示制御部３ｂを制御すると共に、この画面の表示データを記憶部６の第１画面記憶領域６ａに記憶させておく。また、図３のステップＳ１３において図４（ｅ）に示す画面を表示パネル３ａに表示させるよう表示制御部３ｂを制御すると共に、この画面の表示データを記憶部６の第２画面記憶領域６ｂに記憶させておく。
【００２３】
そして、図３のステップＳ１３の後であって上記の何れかの画面が表示パネル３ａに表示された状態においては、制御部７は、サイドキー４１に、表示パネル３ａに表示させる画面を図４（ａ）に示す画面（即ち図６（ａ））と図４（ｅ）に示す画面（即ち図６（ｂ））との何れかに切り替える指示を受け付ける機能を割り当てる。そして、ユーザがサイドキー４１を操作すると、その都度、制御部７は、後述する図５のフローチャートに従って、図６の（ａ）の画面と（ｂ）の画面とが交互に表示パネル３ａに表示されるよう、表示制御部３ｂを制御する。制御部７により制御された表示制御部３ｂは、記憶部６の第１画面記憶領域６ａ又は第２画面記憶領域６ｂから表示データを読み出して表示データに応じた画像信号を表示パネル３ａへ出力する。
【００２４】
図５は、画面切替処理の流れを示すフローチャートである。図６は、図５に示した一部のステップの実行時の表示パネル３ａの表示状態を示す模式図である。
制御部７が図３のステップＳ１３において図４（ｅ）に示す画面（即ち図６（ａ））を表示パネル３ａに表示させた後、ユーザがサイドキー４１を操作すると（図５ステップＳ２１）、制御部７は、第２画面記憶領域６ｂに記憶されている表示データに基づいた画像を表示パネル３ａに表示中か否かを判断する（図５ステップＳ２２）。このときは、第２画面記憶領域６ｂに記憶されている表示データと同じ表示データに基づいた画像を表示パネル３ａに表示中であるので、制御部７は、ステップＳ２２のＹｅｓからステップＳ２３へ処理を進め、第１画面記憶領域６ａに記憶されている表示データに基づいた画像（図６（ｂ）参照）を表示させる（図５ステップＳ２３）。そして、制御部７は、処理をステップＳ２１へ戻す。
【００２５】
続いて、ユーザがサイドキー４１を再度操作すると（図５ステップＳ２１）、制御部７は、第２画面記憶領域６ｂに記憶されている表示データに基づいた画像を表示パネル３ａに表示中か否かを判断する（図５ステップＳ２２）。このときは、第１画面記憶領域６ａに記憶されている表示データに基づいた画像を表示パネル３ａに表示中であるので、制御部７は、ステップＳ２２のＮｏからステップＳ２４へ処理を進め、第２画面記憶領域６ｂに検索結果画面の表示データが記憶されているか否かを判断する（図５ステップＳ２４）。このときは、第２画面記憶領域６ｂに検索結果画面の表示データが記憶されているので、制御部７は、ステップＳ２４のＹｅｓからステップＳ２５へ処理を進め、第２画面記憶領域６ｂに記憶されている表示データに基づいた画像（図６（ａ）参照）を表示パネル３ａに表示させる（図５ステップＳ２５）。
【００２６】
図６（ａ）の画面つまり検索結果画面が表示パネル３ａに表示された状態では、ユーザは、検索対象語句を編集可能である。ここでユーザが検索対象語句を適宜編集し、画面中の検索ボタンを操作すると（図５ステップＳ２６のＹｅｓ）、制御部７は、検索を実行し（図５ステップＳ２７）、新たな検索結果画面の表示データで第２画面記憶領域６ｂの記憶内容を更新する（図５ステップＳ２８）と共に、検索結果を表示パネル３ａに表示させるよう表示制御部３ｂを制御する（図５ステップＳ２９）。
【００２７】
再びユーザがサイドキー４１を操作すると（図５ステップＳ３０のＹｅｓ）、制御部７はステップＳ２３へ処理を進め、第１画面記憶領域６ａに記憶されている表示データに基づいた画像を表示パネル３ａに表示させるよう表示制御部３ｂを制御する（図５ステップＳ２３）。
なお、ステップＳ２４において第２画面記憶領域に検索結果画面の表示データが記憶されていなかった場合には、制御部７は処理を終了する（図５ステップＳ３１）。また、この画面切替処理においては、制御部７は、右下キー４５に終了キーとしての機能を割り当てており、右下キー４５が操作されると、制御部７は処理を終了する。
【００２８】
このように、本実施形態によれば、電子メールの文章中の語句について検索を行う場合にユーザが従来行っていた操作、つまり、ウェブブラウザを起動したり、語句検索を受け付けるウェブページのＵＲＬを指定して表示させたり、該ウェブページ上の検索対象語句を入力すべき箇所へ記憶部から語句を読み出して入力したり、ウェブページ上の検索実行を指示するボタンを押下したり、というような操作を行う必要をなくして、電子メールの文章中の語句に関わる情報を取得する手順を従来に比べて減らすことができ、したがって、電子メールの文章中の語句に関わる情報を容易に取得することができる。
【００２９】
なお、本実施形態では、検索対象指定画面（図４（ｄ）参照）を表示させる前の段階において、ポップアップメニューを表示させて（図４（ｃ）参照）複数の検索サービスから一つを選択する操作をユーザに対して促すようにしているが、実施にあたっては、順番を逆にして、検索対象指定画面（図４（ｄ）参照）を表示させた後の段階において、ポップアップメニューを表示させて（図４（ｃ）参照）複数の検索サービスから一つを選択する操作をユーザに対して促すようにしてもよい。
また、本実施形態では、表示中の電子メールの文章中の語句について検索する場合について説明しているが、実施にあたっては、表示中のウェブページに記載されている文章中の語句について検索を行ってもよい。
【図面の簡単な説明】
【００３０】
【図１】本発明の一実施形態における携帯電話機を３方向から見た外観に現れる構成を示す模式図である。
【図２】本発明の一実施形態における携帯電話機の機能構成を示すブロック図である。
【図３】本発明の一実施形態におけるウェブ検索処理の流れを示すフローチャートである。
【図４】本発明の一実施形態における図３に示した一部のステップの実行時の表示パネル３ａの表示状態を示す模式図である。
【図５】本発明の一実施形態における画面切替処理の流れを示すフローチャートである。
【図６】本発明の一実施形態における図５に示した一部のステップの実行時の表示パネル３ａの表示状態を示す模式図である。
【符号の説明】
【００３１】
１…表示側筐体、  ２…操作側筐体、  ３…表示部、  ３ａ…表示パネル、  ３ｂ…表示制御部、  ４…操作部、  ４ａ…操作パネル、  ５…通信部、  ６…記憶部、  ６ａ…第１画面記憶領域、  ６ｂ…第２画面記憶領域、  ６ｃ…語句記憶領域、  ７…制御部、  ４１…サイドキー、  ４２…センターキー、  ４３…右上キー、  ４４…左上キー、  ４５…右下キー、  ４６…左下キー、  ４７…数字・記号・文字入力キー群
【図１】
2008059154.tif 000003
【図２】
2008059154.tif 000004
【図３】
2008059154.tif 000005
【図４】
2008059154.tif 000006
【図５】
2008059154.tif 000007
【図６】
2008059154.tif 000008